(57)【要約】【課題】  自動販売機等の設置対象物に簡単に取付、設置、交換が可能な防災ラジオの取付構造を得ること。【解決手段】  自動販売機１００等の設置対象物に防災ラジオ１を取り付けて構成される防災ラジオの取付構造において、前記設置対象物は、強磁性体の金属面部１０２を備え、防災ラジオ１は、蓋部１１を設けたボックス部１０と、ボックス部１０の内部に設置したラジオユニット２０とを備え、ボックス部１０は、複数の磁石３０を介して前記設置対象物の金属面部１０２に取り付けられる。【選択図】  図７
2018152416.tif 000002
【特許請求の範囲】
【請求項１】
自動販売機（１００）等の設置対象物に防災ラジオ（１）を取り付けて構成される防災ラジオの取付構造において、
前記設置対象物は、強磁性体の金属面部（１０２）を備え、
前記防災ラジオ（１）は、蓋部（１１）を設けたボックス部（１０）と、前記ボックス部（１０）の内部に設置したラジオユニット（２０）とを備え、
前記ボックス部（１０）は、複数の磁石（３０）を介して前記設置対象物の前記金属面部（１０２）に取り付けられるものであり、
さらに前記ラジオユニット（２０）のスピーカー（２１）に対向する前記ボックス部（１０）の箇所には、音抜け用の切欠部（１２ａ）を備えたことを特徴とする防災ラジオの取付構造。
【請求項２】
自動販売機（１００）等の設置対象物に防災ラジオ（１）を取り付けて構成される防災ラジオの取付構造において、
前記設置対象物は、強磁性体の金属面部（１０２）を備え、
前記防災ラジオ（１）は、蓋部（１１）を設けたボックス部（１０）と、前記ボックス部（１０）の内部に設置したラジオユニット（２０）とを備え、
前記ボックス部（１０）は、複数の磁石（３０）を介して前記設置対象物の前記金属面部（１０２）に取り付けられるものであり、
さらに前記ラジオユニット（２０）のスピーカー（２１）は、そのスピーカー先端部（２１ａ）が前記ボックス部（１０）の側部（１３）から外部へ突設されていることを特徴とする防災ラジオの取付構造。
【請求項３】
前記防災ラジオ（１）のボックス部（１０）は、上方開口であって、このボックス部（１０）の上部に前記蓋部（１１）を開閉可能に設け、
前記ボックス部（１０）の下部に前記複数の磁石（３０）を設けたことを特徴とする請求項１または２記載の防災ラジオの取付構造。
【請求項４】
前記金属面部（１０２）と前記ボックス部（１０）の下端面（１０ａ）との間にクリアランス（ｔ）を設けたことを特徴とする請求項１または２記載の防災ラジオの取付構造。
【請求項５】
前記ボックス部（１０）の下端面（１０ａ）に、取付ブラケット（４０）の一端部（４１）を螺着し、前記取付ブラケット（４０）の他端部（４２）には筒部（５０）を介して前記磁石（３０）を螺着したことを特徴とする請求項１または２記載の防災ラジオの取付構造。
【発明の詳細な説明】
【技術分野】
【０００１】
本発明は、地震や火災などの非常事態時に利用される防災ラジオを、自動販売機等に設置するための取付構造に関する。
【背景技術】
【０００２】
一般に防災ラジオと称される緊急通報装置により、非常事態時に所轄の消防、警察、市町村等の行政機関等から緊急通報がなされる無線通信システムが知られている。
【０００３】
このような防災ラジオによる防災無線放送は、市町村等の行政機関等が、地震、火災、水害等の災害時の緊急通報、避難情報に関する情報等を市町村内に居住する住民に報知する無線放送であり、緊急時には、親局から各種情報が送信される。例えば、無線受信装置で受信した情報は、スピーカーを通じ拡声して一帯の住民に報知し、また、親局から送信された各種情報は、受信機等によっても受信可能であり、受信機を通じて各世帯の住民に情報を報知するものも知られている（特許文献１）。
【０００４】
さらに、この種の防災ラジオは、例えば自動販売機の上面に取り付けられるものや、ＡＴＭ等の街頭設置装置に付設されるものが提案されている（特許文献２〜４）。
【０００５】
とりわけ各地に広く設置されている自動販売機等に防災ラジオを設けることは、有効な周知方が図られ得るので、この点に鑑み自動販売機等に各種の通信ユニットを取り付けるものも提案されている（特許文献５）。
【先行技術文献】
【特許文献】
【０００６】
【特許文献１】特開２０１４−８６９２８号公報
【特許文献２】特開２００３−１６５６１号公報
【特許文献３】特開２００４−９４５３８号公報
【特許文献４】特開２００５−１６５６７９号公報
【特許文献５】特許第５０４６４２８号公報
【発明の概要】
【発明が解決しようとする課題】
【０００７】
上述した自動販売機等に通信ユニットを設置するものは、当該自動販売機の裏面にねじ穴を設けて取り付けたり、自動販売機の外装を挟むフレームを取り付けて、これに設置する等している。
【０００８】
ところが、自動販売機等の上面や側面にねじ穴を開ける場合は、真空断熱材に穴を開けることになるため、自動販売機等の保温性能を低下させることになる。また、フレームで固定する場合は、自動販売機等のサイズごとにフレームを用意しなければならず煩雑となる。さらに、取付装置が通信ユニットであるため、その取付は自動販売機等のメーカーや専門知識のある工事業者が行う必要があるし、時間もかかる。取付形態如何によっては美観を損ねることもある。
【０００９】
そこで本発明は、自動販売機等の設置対象物に簡単に取付、設置、交換が可能な防災ラジオの取付構造を得ることを目的とするものである。
【課題を解決するための手段】
【００１０】
本願第１請求項に記載した発明は、実施例で用いた符号を付して記すと、自動販売機１００等の設置対象物に防災ラジオ１を取り付けて構成される防災ラジオの取付構造において、
前記設置対象物は、強磁性体の金属面部１０２を備え、
前記防災ラジオ１は、蓋部１１を設けたボックス部１０と、前記ボックス部１０の内部に設置したラジオユニット２０とを備え、
前記ボックス部１０は、複数の磁石３０を介して前記設置対象物の前記金属面部１０２に取り付けられるものであり、
さらに前記ラジオユニット２０のスピーカー２１に対向する前記ボックス部１０の箇所には、音抜け用の切欠部１２ａを備えたことを特徴とする防災ラジオの取付構造である。
【００１１】
本願第２請求項に記載した発明は、自動販売機１００等の設置対象物に防災ラジオ１を取り付けて構成される防災ラジオの取付構造において、
前記設置対象物は、強磁性体の金属面部１０２を備え、
前記防災ラジオ１は、蓋部１１を設けたボックス部１０と、前記ボックス部１０の内部に設置したラジオユニット２０とを備え、
前記ボックス部１０は、複数の磁石３０を介して前記設置対象物の前記金属面部１０２に取り付けられるものであり、
さらに前記ラジオユニット２０のスピーカー２１は、そのスピーカー先端部２１ａが前記ボックス部１０の側部１３から外部へ突設されていることを特徴とする防災ラジオの取付構造である。
【００１２】
本願第３請求項に記載した発明は、
前記防災ラジオ１のボックス部１０は、上方開口であって、このボックス部１０の上部に前記蓋部１１を開閉可能に設け、
前記ボックス部１０の下部に前記複数の磁石３０を設けたことを特徴とする請求項１または２記載の防災ラジオの取付構造である。
【００１３】
本願第４請求項に記載した発明は、前記金属面部１０２と前記ボックス部１０の下端面１０ａとの間にクリアランスｔを設けたことを特徴とする請求項１または２記載の防災ラジオの取付構造である。
【００１４】
本願第５請求項に記載した発明は、前記ボックス部１０の下端面１０ａに、取付ブラケット４０の一端部４１を螺着し、前記取付ブラケット４０の他端部４２には筒部５０を介して前記磁石３０を螺着したことを特徴とする請求項１または２記載の防災ラジオの取付構造である。
【発明の効果】
【００１５】
本発明の防災ラジオは、強磁性体の金属面部に複数の磁石を介して取り付けられるので、別途取り付けに供するフレームを必要とせず、ましてや設置対象物に穴を開けることもない。したがって、防災ラジオの取付、設置、交換が簡単になされ得る。さらに、設置対象物が自動販売機等の場合は、穴を開けることがないので、その保温機能を損なうことがない。
【００１６】
また、本発明の防災ラジオは、上述のように磁石を介して取り付けられるので、自動販売機等の設置対象物のサイズを選ばないし、設置場所に合った取付位置を選定することができる。また、設置済みの自動販売機や自動販売機以外にも取り付けが可能である。さらに美観を損ねずに設置可能であるといった利点もある。
【００１７】
さらに、本発明の防災ラジオにおいて、ラジオユニットのスピーカーに対向するボックス部の箇所に、音抜け用の切欠部を備えている場合は、緊急通報時におけるスピーカーからの報知が良好になされ得る。
【００１８】
同様に、本発明の防災ラジオにおいて、ラジオユニットのスピーカーのスピーカー先端部がボックス部の側部から外部へ突設されている場合は、緊急通報時におけるスピーカーからの報知が良好になされ得る。
【００１９】
また、前記強磁性体の金属面部と前記ボックス部の下端面との間にクリアランスを設けた場合は、スピーカーからの音抜けを良くすることができる。さらに、設置対象物が自動販売機である場合は、クリアランスを設けることで、その自動販売機から出るノイズを低減することができ、また、自動販売機から発生する防災ラジオへの熱の影響も低減することができる。
【図面の簡単な説明】
【００２０】
【図１】本発明の実施例に係り、防災ラジオを自動販売機の上面に取り付けた状態を示す斜視図である。
【図２】本発明の実施例に係り、防災ラジオを自動販売機の上面に取り付けた状態を示す側面図である。
【図３】本発明の実施例に係り、防災ラジオを示す正面図である。
【図４】本発明の実施例に係り、防災ラジオを示す側面図である。
【図５】本発明の実施例に係り、防災ラジオを示す平面図である。
【図６】本発明の実施例に係り、防災ラジオを示す低面図である。
【図７】本発明の実施例に係り、防災ラジオを示す縦断正面図である。
【図８】本発明の実施例に係り、防災ラジオを示す縦断側面図である。
【図９】本発明の実施例に係り、防災ラジオを示す横断平面図である。
【図１０】本発明の他の実施例に係り、防災ラジオを示す正面図である。
【図１１】本発明の他の実施例に係り、防災ラジオを示す側面図である。
【図１２】本発明の他の実施例に係り、防災ラジオを示す正面図である。
【図１３】本発明の他の実施例に係り、防災ラジオを示す側面図である。
【図１４】本発明の他の実施例に係り、防災ラジオを垂直壁面に取り付けた状態を示す斜視図である。
【発明を実施するための形態】
【００２１】
以下に、本発明の実施例を図面に基づいて説明する。なお、図１〜図９に示す実施例では設置対象物を自動販売機１００とし、そして、この自動販売機１００に防災ラジオ１を設置しているものを例に採って説明する。
【００２２】
すなわち、自動販売機１００等の設置対象物に防災ラジオ１を取り付けて構成される防災ラジオの取付構造において、本例では、図示のように、自動販売機１００の上面に防災ラジオ１を設置している。
【００２３】
自動販売機１００は、筐体１０１に強磁性体の金属面部１０２を備える。この例では、防災ラジオ１を自動販売機１００の上面に取り付けるために、自動販売機１００の筐体１０１の上面には強磁性体の金属面部１０２を設けている。もっとも、筐体１０１の上面に限られずに、側面や背面を強磁性体の金属面部で覆ってよいことは勿論である。これにより、防災ラジオ１の設置箇所を拡張することができるものとなる。
【００２４】
防災ラジオ１は、蓋部１１を設けたボックス部１０と、ボックス部１０の内部に設置したラジオユニット２０とを備える。そして、ボックス部１０は、後に詳述するように、複数の磁石３０を介して自動販売機１００の前記金属面部１０２に取り付けられる。
【００２５】
ラジオユニット２０は、従来の緊急通報装置と同様に、スピーカー２１を備えた防災無線受信機であり、例えばＡＭ／ＦＭ放送信号のいずれかの緊急地震速報を受信して、スピーカー２１から緊急速報の報知音声を発生するものである。
【００２６】
また、ラジオユニット２０のスピーカー２１に対向するボックス部１０の箇所、本例では底部１２には、音抜け用の切欠部１２ａを備えている。このようにスピーカー２１に対向するボックス部の箇所に、音抜け用の切欠部１２ａを備えていると、緊急通報時におけるスピーカーからの報知が良好になされ得ることとなる。
【００２７】
本例の防災ラジオ１のボックス部１０は、上方開口であって、このボックス部１０の上部に蓋部１１を開閉可能に設けるとともに、ボックス部１０の下部に複数の磁石３０を、本例では４つの磁石３０を、当該ボックス部１０の下部四隅に設けている。
【００２８】
磁石３０は、本例の場合、取付ブラケット４０を介してボックス部１０の下部に取り付けられている。すなわち、ボックス部１０の下端面１０ａに、取付ブラケット４０の一端部４１を螺着し、取付ブラケット４０の他端部４２には、筒部５０を介在させて磁石３０を螺着している。
【００２９】
そして、本例の取付ブラケット４０は、一端部４１と他端部４２とを段形状に折り曲げて形成しており、さらに他端部４２に筒部５０を介在させて磁石３０を設けているので、磁石３０が接する金属面部１０２と、ボックス部１０の下端面１０ａとの間にクリアランスｔが設けられている（図３，４，７，８参照）。
【００３０】
このように金属面部１０２とボックス部１０の下端面１０ａとの間にクリアランスｔを設けていると、スピーカー２１からの音抜けを良くすることができる。さらに、本例のように設置対象物が自動販売機１００である場合は、クリアランスｔを設けることで、その自動販売機１００から出るノイズを低減することができ、また、自動販売機１００から発生する防災ラジオ１への熱の影響も低減することができることになる。
【００３１】
なお、ボックス部１０において、符号１３は側部、符号１４は丁番で、蓋部１１の開閉時の回転軸として機能し、また、符号１５は止め金具で、蓋部１１の閉時において当該蓋部１１を側部１３に固定するものである。さらに、符号１６はグロメットで、ケーブル１８（図１４参照）をボックス部１０に挿通し保護するために側部１３の適所に設けられている。また、蓋部１１の下部の周囲にはシール部材１７を装着しており、蓋部１１の閉時における気密性の向上を図っている。
【００３２】
また、ボックス部１０の内部には、前述したように、ラジオユニット２０が備えられている。そして、符号２２はアンテナ装着部であって、ラジオユニット２０内で立設され、図示を省略したアンテナが収納される。このように、立設されたアンテナ装着部２２にアンテナが装着されると、ラジオユニット２０における信号の受信が効率的になされる。また、前述したように、金属面部１０２とボックス部の下端面との間にクリアランスｔを設けているので、信号電波が金属面部１０２に反射して、より一層効率良くアンテナに受信され得ることとなる。
【００３３】
図１０〜図１１は、第２実施例に係るものである。前述した実施例のものは、ボックス部１０の底部１２に音抜け用の切欠部１２ａを形成して、この切欠部１２ａにラジオユニット２０のスピーカー２１を対向させる構造であったが、第２実施例に係るものは、ボックス部１０の側部１３に音抜け用の切欠部１３ａを設け、この切欠部１３ａに対向させてスピーカー２１を設けている。
【００３４】
前例のものは、設置対象物を自動販売機を例に採り、この上面に防災ラジオ１を載置する態様であった。この例のものは、防災ラジオの設置方向と９０度位相を異にする方向にスピーカーを向ける必要性もあり得るので、このように構成したものである。本例のものは、ボックス部の側部に、音抜け用の切欠部を備えているので、前例の場合と同様に、緊急通報時におけるスピーカーからの報知が良好になされ得る。
【００３５】
図１２〜図１３は、第３実施例に係るものである。この例では、防災ラジオ１において、ラジオユニット２０のホーン型スピーカー２１のスピーカー先端部２１ａが、ボックス部１０の側部１３から外部へ突設されている構造である。この例の場合も、前２例の場合と同様に、緊急通報時におけるスピーカーからの報知が良好になされ得る。
【００３６】
また、本発明の防災ラジオ１の取付構造は、設置対象物が強磁性体の金属面部を備えていれば実施できるものであり、したがって、図１４に示すように、一般的に良く用いられる鉄製パネル（強磁性体）の壁面１０３に、磁石３０を介して、防災ラジオ１を設置することができるものである。
【００３７】
本発明は、各実施例に示すように、設置対象物の強磁性体の金属面部１０２に複数の磁石３０を介して取り付けられるものであり、好ましい態様として、金属面部１０２とボックス部１０の下端面１０ａとの間にクリアランスｔを設けている。設置対象物が自動販売機１００である場合は、そのクリアランスｔが小さいと当該自動販売機から受ける熱等の影響が大きくなるし、逆に大きすぎると、通常自販機の上部に取り付けられるプレート等で隠せなくて目立ってしまうことがある。また、図１４に示すように、横向きに取り付けた場合は、磁石に加えられるモーメントが大きくなって落下する懸念も生じ得る。本例の実施態様における防災ラジオ１の構造および構成等を勘案すると、前記クリアランスｔは、２〜１０ｃｍ程度とすることが好ましいものである。
【００３８】
以上説明したように、本例の防災ラジオの取付構造は、自動販売機等の設置対象物に簡単に取付、設置、交換が可能な構造として極めて合理的に構成されたものである。なお、本例における各部の構成は、特許請求の範囲に記載した技術的範囲において適宜に設計変更が可能であり、図例説明したものに限定されないことは勿論である。
【産業上の利用可能性】
【００３９】
本発明は、非常事態時に緊急通報がなされる無線通信システムの構築において、防災ラジオの取付構造一般に、好適に利用することが可能である。
【符号の説明】
【００４０】
１    防災ラジオ
１０    ボックス部
１０ａ    下端面
１１    蓋部
１２    底部
１２ａ    切欠部
１３    側部
１３ａ    切欠部
１４    丁番
１５    止め金具
１６    グロメット
１７    シール部材
１８    ケーブル
２０    ラジオユニット
２１    スピーカー
２１ａ    スピーカー先端部
２２    アンテナ装着部
３０    磁石
３１    磁石カバー部材
４０    取付ブラケット
４１    一端部
４２    他端部
５０    筒部
１００    自動販売機（設置対象物）
１０１    筐体
１０２    金属面部
１０３    壁面
ｔ    クリアランス
【図１】
2018152416.tif 000003
【図２】
2018152416.tif 000004
【図３】
2018152416.tif 000005
【図４】
2018152416.tif 000006
【図５】
2018152416.tif 000007
【図６】
2018152416.tif 000008
【図７】
2018152416.tif 000009
【図８】
2018152416.tif 000010
【図９】
2018152416.tif 000011
【図１０】
2018152416.tif 000012
【図１１】
2018152416.tif 000013
【図１２】
2018152416.tif 000014
【図１３】
2018152416.tif 000015
【図１４】
2018152416.tif 000016